(57)【要約】【課題】製造が容易でコスト低減化が図れ、操作部の押圧力を容易に所望の押圧力（特に軽い押圧力）にすることができ、出力変化に必要な操作部の移動距離を容易に短くすることができる電子部品を提供する。【解決手段】ケース８０内でスライド移動方向Ａにスライド自在に収納される摺動型物３０と、摺動子５０及びスイッチパターン２３，２５によって構成される電気的機能部と、摺動型物３０を所定の復帰位置（ケース８０内の上部）に自動復帰させる方向に弾発する弾発手段６０とを具備する。弾発手段６０はねじりコイルばねで構成され、コイル部６１中央の穴６７に摺動型物３０に設けた挿入部３５を挿入して係止し、一方の引出部６３を摺動型物３０の当接面４３に弾接し、もう一方の引出部６５をケース８０の係止部８７に弾接して、摺動型物３０を上方向に向けて弾発する。【選択図】図１
2006294586.tif 000002
【特許請求の範囲】
【請求項１】
固定側部材に対してスライド移動する摺動型物と、
前記固定側部材と摺動型物間に設置されて摺動型物のスライド移動に応じてその電気的出力を変化する電気的機能部と、
前記摺動型物を所定の復帰位置に自動復帰させる方向に弾発する弾発手段とを具備し、
前記弾発手段は、コイル両端の引出部をコイルの巻き回し方向にねじることで弾発力を生じるねじりコイルばねで構成され、その一方の引出部を摺動型物に弾接し、もう一方の引出部を固定側部材に弾接して、前記摺動型物を前記所定の復帰位置に向けてスライド移動するように弾発することを特徴とする電子部品。
【請求項２】
前記弾発手段は、コイル状に巻き回したコイル部中央の穴に前記摺動型物に設けた挿入部を挿入して係止されていることを特徴とする請求項１に記載の電子部品。
【請求項３】
前記弾発手段は、そのコイル状に巻き回したコイル部が前記摺動型物に設けた挿入穴に挿入されてコイル部の外周が挿入穴の内周面で位置決め係止されていることを特徴とする請求項１に記載の電子部品。
【請求項４】
前記弾発手段の一方の引出部は、摺動型物に設けた当接部に当接し、
前記弾発手段のもう一方の引出部は、前記摺動型物が復帰する方向とは逆方向に向けて固定側部材を弾発するように固定側部材に当接することを特徴とする請求項２又は３に記載の電子部品。
【請求項５】
前記摺動型物に設けた当接部は、摺動型物のスライド移動方向に平行な側壁部に設けられた当接面であることを特徴とする請求項４に記載の電子部品。
【請求項６】
前記摺動型物には、前記弾発手段の固定側部材に当接するもう一方の引出部を当接しておく第２当接部が設けられていることを特徴とする請求項４に記載の電子部品。
【請求項７】
前記固定側部材は少なくとも前記摺動型物を前記スライド移動方向にスライド自在に収納するケースを具備し、
このケースに前記弾発手段のもう一方の引出部を弾接して係止する係止部を設けたことを特徴とする請求項１乃至６の内の何れかに記載の電子部品。
【請求項８】
固定側部材に対してスライド移動する摺動型物と、
前記固定側部材と摺動型物間に設置されて摺動型物のスライド移動に応じてその電気的出力を変化する電気的機能部と、
前記摺動型物を所定の復帰位置に自動復帰させる方向に弾発する弾発手段とを具備し、
前記固定側部材は少なくとも前記摺動型物を前記スライド移動方向にスライド自在に収納するケースを有し、
前記弾発手段は前記ケースの一部に設置した弾発片で構成され、この弾発片を前記摺動型物に弾接して、この摺動型物を前記所定の復帰位置に向けて弾発することを特徴とする電子部品。
【請求項９】
前記弾発片は、ケースの一部を突出させてその根元側の部分をケースの内部側に折り曲げることでその先端側の部分を前記摺動型物に弾接させる片持ち構造の弾発片であることを特徴とする請求項８に記載の電子部品。
【請求項１０】
前記弾発片に弾接する前記摺動型物の弾接面は、摺動型物のスライド位置に応じてその弾接位置が摺接しながら変化していく湾曲面形状に形成されていることを特徴とする請求項９に記載の電子部品。
【請求項１１】
前記電気的機能部は、固定側部材を構成する基板上に設けた摺接パターンと、摺動型物に取り付けられて前記摺接パターンに摺接する摺動子とを具備して構成されていることを特徴とする請求項１乃至１０の内の何れかに記載の電子部品。
【発明の詳細な説明】
【技術分野】
【０００１】
本発明は、各種電気機器の各種検出スイッチ等として用いて好適な電子部品に関するものである。
【背景技術】
【０００２】
従来、各種電気機器の各部に取り付けられる検出スイッチ、例えばコンパクトディスクやミニディスクや各種カード等が挿入されたことや、開閉扉が開閉されたこと等を検出するスイッチとして、小型の検出スイッチが利用されている。この種の検出スイッチは例えば、ケース内に二つの接点板を収納し、一方の接点板に接点バネの一方の巻き終わり部分を接続し、他方の接点板に接点バネの他方の巻き終わり部分を所定距離離間して配置し、接点バネの他方の巻き終わり部分を操作部（レバー）によって操作（押圧）することで前記巻き終わり部分を接点バネの弾性力に抗して撓めて他方の接点板に当接して両接点間をオンする構造に構成されている（例えば特許文献１，２参照）。
【０００３】
しかしながら上記構造の検出スイッチにおいては、接点バネに、操作部の自動復帰用の弾発機能と、接点板へのオンオフ用の接点機能とを併せ持たせる必要があるため、その形状・構造が複雑となり、また通常その接点部分には貴金属メッキを施す必要があり、これらのことからその加工が困難で製造コストが高くなってしまうという問題があった。また接点バネに弾発機能と接点機能とを併せ持たせているので、両機能を同時に満足させる必要から、操作部の押圧力を容易に所望の押圧力（特に軽い押圧力）にすることは困難であった。さらに接点バネの加工精度には限界があり、オンオフに必要な操作部の移動距離をあまり小さくすることはできなかった。
【特許文献１】実開平３−１２４４３５号公報
【特許文献２】特開２０００−１４９７１５号公報
【発明の開示】
【発明が解決しようとする課題】
【０００４】
本発明は上述の点に鑑みてなされたものでありその目的は、製造が容易でコスト低減化が図れ、また操作部の押圧力を容易に所望の押圧力（特に軽い押圧力）にすることができ、またオンオフ等の出力変化に必要な操作部の移動距離を容易に短くすることができる電子部品を提供することにある。
【課題を解決するための手段】
【０００５】
本願請求項１に記載の発明は、固定側部材に対してスライド移動する摺動型物と、前記固定側部材と摺動型物間に設置されて摺動型物のスライド移動に応じてその電気的出力を変化する電気的機能部と、前記摺動型物を所定の復帰位置に自動復帰させる方向に弾発する弾発手段とを具備し、前記弾発手段は、コイル両端の引出部をコイルの巻き回し方向にねじることで弾発力を生じるねじりコイルばねで構成され、その一方の引出部を摺動型物に弾接し、もう一方の引出部を固定側部材に弾接して、前記摺動型物を前記所定の復帰位置に向けてスライド移動するように弾発することを特徴とする電子部品にある。
【０００６】
本願請求項２に記載の発明は、前記弾発手段は、コイル状に巻き回したコイル部中央の穴に前記摺動型物に設けた挿入部を挿入して係止されていることを特徴とする請求項１に記載の電子部品にある。
【０００７】
本願請求項３に記載の発明は、前記弾発手段は、そのコイル状に巻き回したコイル部が前記摺動型物に設けた挿入穴に挿入されてコイル部の外周が挿入穴の内周面で位置決め係止されていることを特徴とする請求項１に記載の電子部品にある。
【０００８】
本願請求項４に記載の発明は、前記弾発手段の一方の引出部は、摺動型物に設けた当接部に当接し、前記弾発手段のもう一方の引出部は、前記摺動型物が復帰する方向とは逆方向に向けて固定側部材を弾発するように固定側部材に当接することを特徴とする請求項２又は３に記載の電子部品にある。
【０００９】
本願請求項５に記載の発明は、前記摺動型物に設けた当接部は、摺動型物のスライド移動方向に平行な側壁部に設けられた当接面であることを特徴とする請求項４に記載の電子部品にある。
【００１０】
本願請求項６に記載の発明は、前記摺動型物には、前記弾発手段の固定側部材に当接するもう一方の引出部を当接しておく第２当接部が設けられていることを特徴とする請求項４に記載の電子部品にある。
【００１１】
本願請求項７に記載の発明は、前記固定側部材は少なくとも前記摺動型物を前記スライド移動方向にスライド自在に収納するケースを具備し、このケースに前記弾発手段のもう一方の引出部を弾接して係止する係止部を設けたことを特徴とする請求項１乃至６の内の何れかに記載の電子部品にある。
【００１２】
本願請求項８に記載の発明は、固定側部材に対してスライド移動する摺動型物と、前記固定側部材と摺動型物間に設置されて摺動型物のスライド移動に応じてその電気的出力を変化する電気的機能部と、前記摺動型物を所定の復帰位置に自動復帰させる方向に弾発する弾発手段とを具備し、前記固定側部材は少なくとも前記摺動型物を前記スライド移動方向にスライド自在に収納するケースを有し、前記弾発手段は前記ケースの一部に設置した弾発片で構成され、この弾発片を前記摺動型物に弾接して、この摺動型物を前記所定の復帰位置に向けて弾発することを特徴とする電子部品にある。
【００１３】
本願請求項９に記載の発明は、前記弾発片は、ケースの一部を突出させてその根元側の部分をケースの内部側に折り曲げることでその先端側の部分を前記摺動型物に弾接させる片持ち構造の弾発片であることを特徴とする請求項８に記載の電子部品にある。
【００１４】
本願請求項１０に記載の発明は、前記弾発片に弾接する前記摺動型物の弾接面は、摺動型物のスライド位置に応じてその弾接位置が摺接しながら変化していく湾曲面形状に形成されていることを特徴とする請求項９に記載の電子部品にある。
【００１５】
本願請求項１１に記載の発明は、前記電気的機能部は、固定側部材を構成する基板上に設けた摺接パターンと、摺動型物に取り付けられて前記摺接パターンに摺接する摺動子とを具備して構成されていることを特徴とする請求項１乃至１０の内の何れかに記載の電子部品にある。
【発明の効果】
【００１６】
請求項１に記載の発明によれば、弾発手段が摺動型物の自動復帰用の弾発機能のみに使用されるので、弾発手段の形状・構造を簡単にすることができ、その加工が容易で製造コストの低減化が図れる。また摺動型物のスライド方向への弾発力は弾発手段の弾発力のみによるので、前記簡単な構造の弾発手段の弾発力を変更するだけで容易に摺動型物への弾発力を所望の弾発力（特に軽い弾発力）にすることができる。
【００１７】
請求項２に記載の発明によれば、弾発手段のコイル部の穴に摺動型物に設けた挿入部を係止したので、その係止が容易に行える。
【００１８】
請求項３に記載の発明によれば、弾発手段のコイル部の外周を位置決めするので、例え弾発手段の両引出部が摺動型物と固定側部材とに同時に当接していなくても、コイル部の位置決めが確実に行え、弾発手段ががたつくことはなくなる。
【００１９】
請求項４に記載の発明によれば、弾発手段の両引出部をこのように当接することで、ねじりコイルバネからなる弾発手段によって摺動型物をスライド移動方向に効率良く弾発できる。
【００２０】
請求項５に記載の発明によれば、弾発手段の両引出部をこのように当接することで、ねじりコイルバネからなる弾発手段によって摺動型物をスライド移動方向に効率良く弾発できる。
【００２１】
請求項６に記載の発明によれば、弾発手段のもう一方の引出部が固定側部材に弾接されていない状態でも、弾発手段の両引出部を何れも摺動型物の当接部と第２当接部に当接でき、弾発手段を所定の設置姿勢に保持しておくことが可能となる。
【００２２】
請求項７に記載の発明によれば、摺動型物をスライド自在に収納するケースに、弾発手段のもう一方の引出部を弾接して係止する係止部を設けたので、簡単な構造で弾発手段の引出部を係止できる。
【００２３】
請求項８に記載の発明によれば、ケースの一部に設置した弾発片によって弾発手段を構成したので、構造が簡単になる。
【００２４】
請求項９に記載の発明によれば、ケースの一部として弾発片を一体に形成したので、組み立てが容易になり、また部品点数が削減できる。さらに弾発片を片持ち構造としたので構造が簡単になる。
【００２５】
請求項１０に記載の発明によれば、摺動型物のいずれのスライド位置においても、弾接片とのスムーズな弾接状態を維持できる。
【００２６】
請求項１１に記載の発明によれば、電気的機能部が摺接パターンに摺動子を摺接させる構造なので、摺接パターンに対する摺動子の位置を精度良く設定でき、従って摺動型物の微小な移動に対して精度の良い出力が得られる。言い換えれば電気的機能部の出力変化に必要な摺動型物の移動距離を容易に小さくすることができる。
【発明を実施するための最良の形態】
【００２７】
以下、本発明の実施形態を図面に基づいて詳細に説明する。
〔第一実施形態〕
図１は本発明の第一実施形態にかかる電子部品（以下この実施形態では「検出スイッチ」という）１−１の分解斜視図である。同図に示すように検出スイッチ１−１は、取付板１０上にフレキシブル回路基板２０を設置し、その上に摺動型物３０及び弾発手段６０を収納したケース８０を取り付けて構成されている。なおこの実施形態においては、取付板１０とフレキシブル回路基板２０とケース８０とが固定側部材であり、摺動子５０と下記するスイッチパターン２３，２５が電気的機能部である。以下各構成部品について説明する。
【００２８】
取付板１０は剛性のある平板（金属板でも樹脂板でも良い）であり、その所定位置（左右二ヶ所ずつ）にそれぞれ矩形状の取付用開口１１を設けて構成されている。フレキシブル回路基板２０は可撓性を有する熱可塑性の合成樹脂フイルム（各実施形態ではポリエチレンテレフタレートフイルム、なお熱硬化性の合成樹脂フイルムでも良い）からなる絶縁基板２１の一方の表面（摺動型物３０側の面）に、一対の摺接パターン（以下各実施形態では「スイッチパターン」という）２３，２５を設け、それぞれのスイッチパターン２３，２５から回路パターン２３ａ，２５ａを引き出し、さらに前記取付板１０の各取付用開口１１に対向する位置にこれらと同一形状の取付開口部２７を設けて構成されている。
【００２９】
図２は摺動型物３０を図１の反対面側から見た斜視図である。図１及び図２に示すように摺動型物３０は合成樹脂製であって、その内部に金属板製の摺動子５０を一体にインサート成形して構成されている。摺動型物３０は略矩形状であって、その外周の上辺（摺動型物３０のスライド移動方向Ａに垂直な側の一辺）の一端部近傍から略円柱状の操作部３１を前記スライド移動方向Ａに向けて突出するように設けている。摺動型物３０の略中央には略矩形状に貫通する開口部３３が設けられ、開口部３３の内周の一辺（この実施形態では前記操作部３１を設けた側の内周辺に対向する内周辺）からこの摺動型物３０のスライド移動方向Ａに向けて突出するように前記摺動子５０を取り付けている。摺動子５０は一枚の弾性金属板によって構成されており、基部５１から複数本（二本）の摺動冊子５３を突出し、その先端に円弧状の屈曲部を設けることで前記フレキシブル回路基板２０側に突出する接点部５５としている。摺動型物３０のフレキシブル回路基板２０と対向しない側の面の下部の一端部近傍（前記操作部３１を設けた辺に対向する辺の一端部近傍）部分からは、円柱状の挿入部３５を摺動型物３０の面から垂直に突出して設けている。摺動型物３０のフレキシブル回路基板２０と対向しない側の面の両側辺（摺動型物３０のスライド移動方向Ａに平行な両側辺）からはスライド移動方向Ａに向けて伸びる平板状の側壁部３７，３８が突出して設けられ、その先端面を摺接部３９，４０としている。なお挿入部３５の先端面も摺接部４１である。また一方（挿入部３５に近い側）の側壁部３７の内側面（他方の側壁部３８に対向する側の面）を下記する弾発手段６０の引出部６３を当接する当接部（以下の各実施形態では「当接面」という）４３としている。また摺動型物３０のフレキシブル回路基板２０側の面にも、その四隅に摺接部４５を設けている。
【００３０】
弾発手段６０は、コイル状に巻き回したコイル部６１の両端部（一端部と他端部）を外方に向けて直線状に引き出して引出部６３，６５とし、これら両引出部６３，６５をコイルの巻き回し方向（この実施形態ではコイル部６１の内径を小さくする方向）にねじることで弾発力を生じるねじりコイルばねとして構成されている。コイル部６１の中央に形成される穴６７の内径寸法は、コイル部６１がねじられることでその内径が小さくなることを考慮して、前記摺動型物３０の挿入部３５の外径寸法よりもかなり大きく形成されている。
【００３１】
ケース８０は金属板を一方が開放する箱型に折り曲げ加工して構成されており、その内部形状は前記摺動型物３０が収納されてそのスライド移動方向Ａのみに所定寸法スライド移動自在となる形状に形成されている。そしてその両側面（スライド移動方向Ａに平行な両側面）の先端辺からは前記フレキシブル回路基板２０に設けた各取付開口部２７に挿入される四本（一本については図示せず）の舌片状の取付片８１が突設され、またその上端面（収納する摺動型物３０の操作部３１を設けた側の端面）には操作部３１をケース８０の外部に突出する切り欠きからなる操作部挿入部８３が設けられ、さらにケース８０の下端面（収納する摺動型物３０の挿入部３５を設けた側の端面）には切り欠き部８５が設けられ、この切り欠き部８５の内側面から突出する舌片状の突起をケース８０の内部側に略直角に屈曲させることで係止部８７を設けている。
【００３２】
検出スイッチ１−１を組み立てるには、取付板１０上にフレキシブル回路基板２０を載置する。一方摺動型物３０の挿入部３５を弾発手段６０の穴６７に挿入し、同時に弾発手段６０の一方の引出部６３を摺動型物３０の当接面４３に当接したものを、ケース８０内に収納し、その際弾発手段６０のもう一方の引出部６５をケース８０の係止部８７に係止する。このとき少しコイル部６１の径を小さくする方向に両引出部６３，６５間をコイルの巻き回し方向（半径方向）にねじる。即ち弾発手段６０の一方の引出部６３を、摺動型物３０のスライド移動方向Ａに平行な側壁部３７の内側の当接面４３に当接し、一方弾発手段６０のもう一方の引出部６５を、摺動型物３０が復帰する方向とは逆方向に向けて固定側部材を弾発するように固定側部材であるケース８０（係止部８７）に当接する。
【００３３】
そして摺動型物３０を収納したケース８０を、前記フレキシブル回路基板２０上に載置し、その際フレキシブル回路基板２０の各取付開口部２７と取付板１０の各取付用開口１１にケース８０の取付片８１を挿入し、各取付片８１を取付板１０の裏面側で折り曲げて固定すれば、検出スイッチ１−１が完成する。組み立てられた検出スイッチ１−１の内部構造を図３に示す。図３において、両引出部６３，６５はコイル部６１の径を小さくする方向に少しねじられているので、コイル部６１の径を大きくしようとする方向に広がろうとする弾発力によって、摺動型物３０（挿入部３５）は上方向（ケース８０の係止部８７から離れる方向）に向かって押し上げられ、その操作部３１の全体がケース８０の操作部挿入部８３から外部に突出し、同時に摺動型物３０の上端面（操作部３１を突出している面）はケース８０の上端内周面に当接して停止している。またこのとき摺動子５０の一方の接点部５５はフレキシブル回路基板２０のスイッチパターン２５に当接しているが、他方の接点部５５はフレキシブル回路基板２０のスイッチパターン２３に当接しておらず、両回路パターン２３ａ，２５ａ間はオフとなっている。なお摺動型物３０の摺接部３９，４０，４１はケース８０の内面に当接し、一方反対面側の各摺接部４５はフレキシブル回路基板２０の上面に当接している。なおコイル部６１の穴６７と挿入部３５との当接位置は、摺動型物３０がどのスライド移動位置にあっても、常に穴６７の内周下端部と挿入部３５の外周下端部とである。つまり穴６７の内周下端部によって挿入部３５は常に上方向に向かって弾発されている。即ち検出スイッチ１−１は、ケース８０等の固定側部材に対してスライド移動する摺動型物３０と、前記固定側部材と摺動型物３０間に設置されて摺動型物３０のスライド移動に応じてその電気的出力を変化する摺動子５０及びスイッチパターン２３，２５からなる電気的機能部と、前記摺動型物３０を所定の復帰位置に自動復帰させる方向に弾発する弾発手段６０とを具備し、前記弾発手段６０は、コイル両端の引出部６３，６５をコイルの巻き回し方向にねじることで弾発力を生じるねじりコイルばねで構成され、その一方の引出部６３を摺動型物３０に弾接し、もう一方の引出部６５を固定側部材に弾接して、前記摺動型物３０を前記所定の復帰位置に向けてスライド移動するように弾発して構成されている。
【００３４】
以上の状態において、操作部３１をケース８０内に押し込む方向に押圧すれば、摺動型物３０はケース８０内を下方向にスライド移動し、摺動型物３０の下端外周面がケース８０の下端内周面に当接して停止する。このとき摺動子５０の両接点部５５，５５はそれぞれフレキシブル回路基板２０のスイッチパターン２３，２５に当接するので、両回路パターン２３ａ，２５ａ間はオンとなる。上記摺動型物３０のスライド移動に際して、弾発手段６０の一方の引出部６３は摺動型物３０の当接面４３に常に当接していてその位置の変化はないが、もう一方の引出部６５はこれが係止されているケース８０の係止部８７と摺動型物３０の位置が相対的に移動することによって、図１に実線で示す位置の引出部６５が点線で示す位置ａ，ｂに移動していく。位置ｂが摺動型物３０が最も下方に移動したときの引出部６５の位置である。従って摺動型物３０が下方に移動すればするほどコイル部６１は絞られてその径が小さくなり、その分両引出部６３，６５間の元の位置に戻ろうとする弾発力が強くなる。従って前記操作部３１への押圧力を解除すれば、弾発手段６０によって摺動型物３０は押し上げられ、元の位置（ケース８０内の最も上部の位置）に自動復帰し、同時に両回路パターン２３ａ，２５ａ間はオフする。
【００３５】
上記検出スイッチ１−１においては、弾発手段６０が摺動型物３０の自動復帰のための弾発機能のみに用いられるので、弾発手段６０の形状・構造は簡単でよく、その加工が容易でその製造コストの低減化が図れる。また摺動型物３０のスライド移動方向Ａへの弾発力は弾発手段６０の弾発力のみによるので、前述のように簡単な構造の弾発手段６０の弾発力を変更するだけで容易に摺動型物３０への弾発力を所望の弾発力（特に軽い弾発力）にすることができる。また前述のようにスイッチはスライド式の摺動子５０とスイッチパターン２３，２５とによって構成されるのでそのオンオフ位置を精度良く設定でき、従って摺動型物３０の微小な移動に対しても精度良くそのオンオフが行える。言い換えれば摺動型物３０のオンオフに必要な移動距離を容易に小さくすることができ、被検出物の微細な移動を検出できる。
【００３６】
図４は摺動型物３０の変形例を示す図である。この摺動型物３０において前記図１，図２に示す摺動型物３０と相違する点は、摺動型物３０の挿入部３５を設けている部分の面をその周囲の面よりも低くなるように凹部４７とし、この凹部４７内に挿入部３５を設置している点と、弾発手段６０の摺動型物３０側に係止する引出部６３をコイル部６１の摺動型物３０から離れた側の端部から引き出し、逆に弾発手段６０のケース８０側に係止する引出部６５をコイル部６１の摺動型物３０側の端部から引き出した点とである。摺動型物３０の面に凹部４７を設けてその中に弾発手段６０のコイル部６１を収納するようにすれば、摺動型物３０の厚みの薄型化、つまりは検出スイッチ１−１全体の厚みの薄型化が図れる。また弾発手段６０のケース８０側に係止する引出部６５をコイル部６１の摺動型物３０側の端部から引き出すようにすれば、引出部６５が摺動型物３０の厚みの中に位置するので、摺動型物３０の上方向への弾発力のバランスが良くなる。この場合、引出部６５の最も上に移動する位置は摺動型物３０の下端面の下側位置近傍部分まで（図４に点線で示す位置）となる。
【００３７】
〔第二実施形態〕
図５は本発明の第二実施形態にかかる電子部品（以下この実施形態では「検出スイッチ」という）１−２の分解斜視図である。同図に示す検出スイッチ１−２において、前記図１〜図３に示す実施形態にかかる検出スイッチ１−１と同一又は相当部分には同一符号を付す。なお以下で説明する事項以外の事項については、前記図１〜図３に示す実施形態と同じである。この検出スイッチ１−２は、取付板１０上にフレキシブル回路基板２０を設置し、その上に摺動型物３０及びケース８０を取り付けて構成されている。摺動型物３０には摺動子５０が取り付けられ、またケース８０には弾発手段（以下この実施形態では「弾発片」という）８９が設けられている。この実施形態においては、取付板１０とフレキシブル回路基板２０とケース８０とが固定側部材である。以下各構成部品について説明する。
【００３８】
取付板１０とフレキシブル回路基板２０とは前記第一実施形態のものと同一構造である。摺動型物３０は、図５及び図６に示すように略矩形状であってその外周の上辺（摺動型物３０のスライド移動方向Ａに垂直な側の一辺）の中央部から略長円柱状の操作部３１を前記スライド移動方向Ａに向けて突出するように設け、また摺動型物３０のフレキシブル回路基板２０側を向く側面にスライド移動方向Ａに伸びる凹状の摺動子収納部４８を設け、また摺動型物３０の前記操作部３１を突出している辺に対向する側の辺（下辺）全体を、円弧状に湾曲する湾曲面形状からなる弾接面４９としている。一方摺動子収納部４８内に取り付けられる摺動子５０は弾性金属板製であって、平板状の基部５１から複数本（二本）の摺動冊子５３を突出して１８０°折り曲げ、その先端に円弧状の屈曲部を設けることで前記フレキシブル回路基板２０側に突出する接点部５５としている。そしてこの摺動子５０の基部５１に設けた二つの小孔に摺動子収納部４８の底面に設けた二つの小突起４８ａ，４８ｂを挿入してその一方の小突起４８ａを熱カシメして摺動子５０を摺動型物３０に固定している。なお摺動子５０は第一実施形態に示すように摺動型物３０にインサート成形しても良い。
【００３９】
図７はケース８０を図５の反対面側から見た斜視図である。図５，図７に示すようにケース８０は第一実施形態と同様に金属板を一方が開放する箱型に折り曲げ加工して構成されており、その内部形状は前記摺動型物３０が収納されてそのスライド移動方向Ａのみに所定寸法スライド移動自在となる形状に形成されている。そしてその上下端面の先端辺からは前記フレキシブル回路基板２０に設けた各取付開口部２７に挿入される四本の舌片状の取付片８１が突設され、またその上端面には操作部３１をケース８０の外部に突出する切り欠きからなる操作部挿入部８３が設けられている。そしてこの実施形態においては、ケース８０の一方の側面の下端から長尺な舌片状の弾発片８９を突出して設け、この弾発片８９の根元側の端部を折り曲げることでその先端側の部分をケース８０内部の下部に位置するようにしている。この弾発片８９は片持ち構造の板バネからなる弾発片である。弾発片８９の上側を向く面を弾発面９１とする。またケース８０の弾発片８９を設けた側面に対向する側のもう一方の側面の弾発片８９の先端近傍部分には、上下動する弾発片８９の先端が当接しないように切欠部９３が設けられている。
【００４０】
検出スイッチ１−２を組み立てるには、取付板１０上にフレキシブル回路基板２０を載置する。一方摺動子５０を取り付けた摺動型物３０をケース８０内に収納し、その際弾発片８９の弾発面９１を摺動型物３０の弾接面４９に弾接する。そして摺動型物３０を収納したケース８０を、前記フレキシブル回路基板２０上に載置し、その際フレキシブル回路基板２０に設けた各取付開口部２７と取付板１０に設けた取付用開口１１にケース８０の取付片８１を挿入し、各取付片８１を取付板１０の裏面側で折り曲げて固定すれば、検出スイッチ１−２が完成する。組み立てられた検出スイッチ１−２を図８に示す。図８において、摺動型物３０は弾発片８９の弾発力によって、上方向に向かって押し上げられ、その操作部３１はその全体がケース８０の操作部挿入部８３から外部に突出し、同時に摺動型物３０の上端面（操作部３１を突出している面）はケース８０の上端内側面に当接して停止している。またこのとき摺動子５０の一方の接点部５５はフレキシブル回路基板２０のスイッチパターン２５に当接しているが、他方の接点部５５はフレキシブル回路基板２０のスイッチパターン２３に当接しておらず、両回路パターン２３ａ，２５ａ間はオフとなっている。
【００４１】
以上の状態において、操作部３１をケース８０内に押し込む方向に押圧すれば、弾発片８９の弾発力に抗してこれを押し下げながら摺動型物３０はケース８０内を下方向にスライド移動し、同時に摺動子５０の両接点部５５，５５はそれぞれフレキシブル回路基板２０のスイッチパターン２３，２５に当接して両回路パターン２３ａ，２５ａ間をオンする。一方操作部３１への押圧を解除すれば、弾発片８９によって摺動型物３０は押し上げられ、元の位置（ケース８０内の最も上部の位置）に自動復帰し、同時に両回路パターン２３ａ，２５ａ間はオフする。弾発片８９の弾接面９１と摺動型物３０の弾接面４９との弾接位置は、摺動型物３０のスライド位置に応じて、摺接しながら変化していく。摺動型物３０の最下降位置は、弾発片８９がケース８０の下端内側面に当接する位置である。
【００４２】
上記検出スイッチ１−２においても第一実施形態と同様に、弾発片８９が摺動型物３０の自動復帰用の弾発機能のみに用いられているので、弾発片８９の形状・構造が簡単となり、その加工が容易でその製造コストの低減化が図れる。特にこの弾発片８９はケース８０の一部として構成されているので、第一実施形態に比べても部品点数が減少し、且つ構造が簡単で、組み立ても容易になる。また摺動型物３０のスライド移動方向Ａへの弾発力は弾発片８９の弾発力のみによるので、簡単な構造の弾発片８９の弾発力を変更するだけで容易に摺動型物３０への弾発力を所望の弾発力（特に軽い弾発力）にすることができる。またスイッチはスライド式の摺動子５０とスイッチパターン２３，２５とによって構成されるのでそのオンオフ位置を精度良く設定でき、従って摺動型物３０の微小な移動に対しても精度良くそのオンオフが行える。言い換えれば摺動型物３０のオンオフに必要な移動距離を容易に小さくすることができ、被検出物の微細な移動を検出できる。
【００４３】
なおこの実施形態においてはケース８０の一部を利用して弾発片８９を形成した（即ちケース８０の一部を突出させてその根元側の部分をケース８０の内部側に折り曲げることでその先端側の部分を摺動型物３０に弾接させる構造に形成した）が、ケース８０とは別部品として弾発片８９を形成し、これをケース８０に取り付けるように構成しても良い。またこの実施形態においては弾発片８９を片持ち構造としているが、弾発片８９の両端をケース８０に支持する両持ち構造の弾発片（板バネ）としても良い。要は  ケース８０の一部に設けた弾発片８９を摺動型物３０に弾接してこの摺動型物３０を所定の復帰位置に向けて弾発する構造であれば、どのような構造であっても良い。また上記実施形態では摺動型物３０に設ける弾接面４９として円弧面形状を用いたが、弾接面４９は円弧以外の他の各種湾曲面形状で構成しても良い。要は弾発片８９に弾接する摺動型物３０の弾接面４９は、摺動型物３０のスライド位置に応じてその弾接位置が摺接しながら変化していく湾曲面形状であればどのような形状であっても良い。このように構成すれば、弾接位置のスムーズな移動が図れ、摺動型物３０のスムーズなスライド移動が図れる。なおもちろん弾接面４９は必ずしも湾曲面形状でなくても良く、例えば弾接位置が一点又は複数点のみで変化しない形状に形成してもよい。
【００４４】
〔第三実施形態〕
図９は本発明の第三実施形態にかかる電子部品（以下この実施形態では「スライド式電子部品」という）１−３の分解斜視図である。同図に示すスライド式電子部品１−３において、前記第一実施形態にかかる検出スイッチ１−１と同一又は相当部分には同一符号を付す。なお以下で説明する事項以外の事項については、前記第一実施形態と同じである。このスライド式電子部品１−３は、取付板１０上にフレキシブル回路基板２０を設置し、その上に摺動型物３０（摺動型物３０には弾発手段６０及び摺動子５０及びクリックバネ１３０が取り付けられている）を収納したケース８０を取り付け、さらにケース８０の上面側につまみ１４０を取り付けて構成されている。なおこの実施形態においては、取付板１０とフレキシブル回路基板２０とケース８０とが固定側部材であり、摺動子５０と下記するスイッチパターン２３，２５とが電気的機能部である。以下各構成部品について説明する。
【００４５】
取付板１０とフレキシブル回路基板２０とは前記第一実施形態のものと同一の材質及びほぼ同一の構造である。相違するのは、取付用開口１１及び取付開口部２７の位置と形状である。即ち、取付用開口１１及び取付開口部２７は小径の円形状に形成されている。また図９には、図１に示す回路パターン２３ａ，２５ａの記載を省略している。またこのスイッチパターン２３，２５は３ポジションでのオンオフ出力を変化するスイッチパターンである。
【００４６】
摺動型物３０は合成樹脂を略矩形状に成形して構成されており、その下面には図示はしないが下記する摺動子５０を取り付ける摺動子取付面が設けられ、この摺動子取付面には下記する摺動子５０に設けた取付部５７に挿入する小突起状の図示しない取付部が設けられている。一方摺動型物３０の上面の所定位置には凹状の挿入穴１０１が設けられている。挿入穴１０１はその一部が摺動型物３０の側面（摺動型物３０のスライド移動方向Ａに平行な一方の側面）に露出することでこの露出部分を引出部突出部１０３としている。挿入穴１０１はこの挿入穴１０１に挿入する下記する弾発手段６０のコイル部６１の外周が挿入穴１０１の内周面で位置決め係止される形状に形成され、且つ挿入穴１０１の内周側面にはさらに一方の引出部６３を当接する当接面４３が設けられ、また挿入穴１０１の内周側面の前記引出部突出部１０３に面する部分には、もう一方の引出部６５を当接する第２当接部１０５が設けられている。第２当接部１０５は摺動型物３０のスライド移動方向Ａであって引出部突出部１０３を塞ぐ方向に向かって突出している。一方摺動型物３０上面の所定の２ヶ所（スライド方向に向かう直線上の２ヶ所）には、下記するケース８０に設けた開口部９４に挿入される矩形状の挿入部１０７が設けられ、各挿入部１０７には円形の上下に貫通する貫通孔からなる取付部１０９が設けられている。また摺動型物３０の挿入穴１０１が露出している側面の反対側の側面には、スライド方向に向かう細帯状の弾性を有するクリックアーム部１１１が設けられ、その中央には摺動型物３０の側面から垂直外方に向かって突出するクリック部１１３が設けられている。クリックアーム部１１１のクリック部１１３を突出した背面側にはスリット状に上下に貫通するクリックバネ収納部１１５が設けられている。
【００４７】
摺動子５０は弾性金属板によって構成されており、平板状の基部５１から複数本（二本）の摺動冊子５３を突出して基部５１の下面側に折り曲げ、その先端近傍に円弧状にフレキシブル回路基板２０側に突出する接点部５５を設けて構成されている。基部５１には小孔からなる取付部５７が設けられている。
【００４８】
弾発手段６０は、第一実施形態と同様に、コイル状に巻き回したコイル部６１の両端部を外方に向けて直線状に引き出して引出部６３，６５とし、これら両引出部６３，６５をコイルの巻き回し方向（この実施形態ではコイル部６１の内径を小さくする方向）にねじることで弾発力を生じるねじりコイルばねとして構成されている。コイル部６１の外径寸法は、コイル部６１をねじらない状態で摺動型物３０の挿入穴１０１の内周側面にちょうど接触してこれに保持され位置決め係止される寸法に形成されている。
【００４９】
クリックバネ１３０は弾性金属板を細帯状であってその略全体を円弧状に湾曲して構成されている。このクリックバネ１３０は、前記摺動型物３０のクリックバネ収納部１１５に挿入される寸法形状に形成されている。
【００５０】
図１０はケース８０をその裏面側から見た斜視図である。図９及び図１０に示すようにケース８０は、合成樹脂を下面が開放された箱型に成形して構成されており、その上面には前記摺動型物３０のスライド移動方向Ａに向けて長尺な矩形状の開口部９４を設け、またその下面側には前記摺動型物３０を一方向にスライド自在に収納する収納部９５を設けている。またその一側面（前記摺動型物３０の引出部突出部１０３を設けた側の側面）には切り欠き状の開口９６を設け、開口９６の対向する両内側壁の内の一方の内側壁の少し収納部９５側の位置には、前記摺動型物３０の第２当接部１０５と同じ方向（摺動型物３０のスライド移動方向Ａ）を向く係止部８７が設けられている。また収納部９５の開口９６を設けた内周側面に対向する内周側面には凹状のクリック係合部９７が設けられ、さらにケース８０の下面の四隅からは下方向に向かって小突起状の取付部９８が突設されている。クリック係合部９７はその両側に凸部９７ａを設けることで形成されている。
【００５１】
つまみ１４０は合成樹脂を略矩形の平板状に成形して構成されており、その上面からは柱状の操作部１４１を突出し、またその下面からは前記摺動型物３０に設けた取付部１０９に挿入される一対の取付固定部１４３（図９ではその一方のみ示す）が突出している。
【００５２】
スライド式電子部品１−３を組み立てるには、取付板１０上にフレキシブル回路基板２０を載置しておく。一方摺動型物３０の下面の摺動子取付面に摺動子５０の基部５１を載置し、その際摺動子取付面に設けた図示しない取付部を摺動子５０の取付部５７に挿入してその先端を熱カシメして固定しておく。また摺動型物３０の挿入穴１０１に弾発手段６０のコイル部６１を収納し、その際弾発手段６０の一方の引出部６３を当接面４３に当接し、同時にもう一方引出部６５を第２当接部１０５に当接しておく。これによって弾発手段６０は摺動型物３０にがたつかずに位置決めされた状態で取り付けられる。なおこのとき前記もう一方の引出部６５の先端は、摺動型物３０の引出部突出部１０３からその外部に突出している。また摺動型物３０のクリックバネ収納部１１５にクリックバネ１３０を収納し、このクリックバネ１３０によってクリック部１１３をその背面側から弾発させる。
【００５３】
そして前記摺動子５０等を取り付けた摺動型物３０をケース８０下面の収納部９５内に収納する。このとき摺動型物３０の各挿入部１０７はケース８０の開口部９４に挿入されて開口部９４の長手方向（スライド移動方向Ａ）に向かってスライド自在に係合される。そしてケース８０上につまみ１４０を設置し、その際つまみ１４０の各取付固定部１４３を摺動型物３０の各取付部１０９に挿入し、摺動型物３０の下面から突出する前記各取付固定部１４３の先端を熱カシメによって固定する。次にケース８０の下面側に取付板１０とフレキシブル回路基板２０とを設置し、その際ケース８０に設けた各取付部９８をフレキシブル回路基板２０に設けた取付開口部２７と取付板１０に設けた取付用開口１１に挿入し、各取付部９８の先端を熱カシメによって固定する。これによってスライド式電子部品１−３が完成する。
【００５４】
そしてつまみ１４０の操作部１４１を操作すれば、摺動型物３０がつまみ１４０と一体にケース８０内をスライド移動方向Ａにスライド移動し、その際摺動子５０の摺接部５５がフレキシブル回路基板２０のスイッチパターン２３，２５上を摺動してその電気的出力を変化する。摺動型物３０は中央及びその左右の三点に移動してその電気的出力を変化する構造であり、中央位置から一方の側に移動する際はクリック感覚を生じ且つつまみ１４０から手を離しても移動した位置で静止し、中央位置から他方の側に移動する際は所定の弾発力に抗しながら移動し、移動した位置でつまみ１４０から手を離すと元の中央位置に自動復帰するように動作する。ここで図１１乃至図１３はこのスライド式電子部品１−３の動作を更に詳細に説明する動作説明図であり、何れの図もケース８０（その上面の部分を水平に切断している）と、弾発手段６０及びクリックバネ１３０を収納した摺動型物３０のみを示している。図１１は摺動型物３０が中央位置にあるときの状態を示しており、このとき摺動型物３０のクリック部１１３の一方の側面はケース８０のクリック係合部９７の一方の凸部９７ａの外側の側面に当接しており、同時に弾発手段６０の引出部６５の先端近傍部分はケース８０の係止部８７に当接し、これによって摺動型物３０はこの中央位置に係止されている。なおこのとき同時に引出部６５は摺動型物３０の第２当接部１０５に当接し、且つ引出部６３は摺動型物３０の当接面４３に当接している。次につまみ１４０を操作することで摺動型物３０を一方の側（図１１の右側）に移動させると、図１２に示すようにクリック部１１３がクリックバネ１３０及びクリックアーム部１１１の弾性力に抗しながらケース８０のクリック係合部９７に係合し、これによってクリック感覚を生じ、同時に摺動子５０の接点部５５がスイッチパターン２３，２５上を摺動し、その電気的出力を変化する。つまみ１４０から手を離しても摺動型物３０はこの位置に静止する。図１２に示す状態からつまみ１４０を反対方向に向けて操作することで摺動型物３０を他方の側（図１１の左側）に移動させると、摺動型物３０は図１１に示す元の中央位置に戻ると同時にクリック部１１３がケース８０のクリック係合部９７から離脱することでクリック感覚を生じる。一方図１１に示す状態からつまみ１４０を操作することで摺動型物３０を他方の側（図１１の左側）に移動させると、図１３に示すように弾発手段６０の引出部６５はケース８０の係止部８７に当接して押圧され、これによってコイル部６１が絞られてその径を小さくし、その分両引出部６３，６５間の元の形状に戻ろうとする弾発力を強くし、同時に摺動子５０の接点部５５がスイッチパターン２３，２５上を摺動し、その電気的出力を変化する。そして前記つまみ１４０への操作力を解除すれば、弾発手段６０によって摺動型物３０は元の中央位置方向に向けて押され、摺動型物３０のクリック部１１３の一方の側面がケース８０のクリック係合部９７の一方の凸部９７ａの外側の側面に当接して停止して図１１に示す中央位置に自動復帰し、同時にその電気的出力も変化する。
【００５５】
この実施形態においても、弾発手段６０が摺動型物３０の自動復帰のための弾発機能のみに用いられるので、弾発手段６０の形状・構造は簡単でよく、その加工が容易でその製造コストの低減化が図れる。また摺動型物３０のスライド移動方向Ａへの弾発力は弾発手段６０の弾発力のみによるので、前述のように簡単な構造の弾発手段６０の弾発力を変更するだけで容易に摺動型物３０への弾発力を所望の弾発力（特に軽い弾発力）にすることができる。また前述のようにスイッチはスライド式の摺動子５０とスイッチパターン２３，２５とによって構成されるのでそのオンオフ位置を精度良く設定でき、従って摺動型物３０の微小な移動に対しても精度良くそのオンオフが行える。言い換えれば摺動型物３０のオンオフに必要な移動距離を容易に小さくすることができる。
【００５６】
この実施形態においては、弾発手段６０のコイル状に巻き回したコイル部６１が摺動型物３０に設けた挿入穴１０１に挿入されてコイル部６１の外周が挿入穴１０１の内周面で位置決め係止されているので、例え弾発手段６０の両引出部６３，６５が摺動型物３０と固定側部材（具体的にはケース８０の係止部８７）とに同時に当接していなくても、コイル部６１の位置決めが確実に行え、弾発手段６０ががたつくことを防止できる。さらにこの実施形態においては、摺動型物３０に、弾発手段６０の固定側部材（具体的にはケース８０の係止部８７）に当接するもう一方の引出部６５を当接しておく第２当接部１０５を設けたので、弾発手段６０の引出部６５が固定側部材に弾接されていない状態でも、弾発手段６０の両引出部６３，６５を何れも摺動型物３０の当接面４３と第２当接部１０５に当接でき、弾発手段６０を所定の設置姿勢に保持しておくことが可能となる。つまりこの実施形態のように弾発手段６０を利用しない状態での（弾発手段６０を弾発しないでフリーとした状態での）摺動型物３０の移動範囲がある場合でも、弾発手段６０を常に所定の姿勢に保持しておくことができる。
【００５７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばフレキシブル回路基板２０は硬質の回路基板で構成しても良く、その場合は取付板１０を省略しても良い。また摺動型物３０やケース８０等の各部品の形状、構造、材質に種々の変形が可能であることはいうまでもない。またスイッチパターン２３，２５の形状に種々の変形が可能であることはいうまでもなく、さらにスイッチパターン２３，２５の代りに抵抗体パターンを用いてもよい。さらに電気的機能部は摺動子５０とスイッチパターン２３，２５とを組み合わせた検出スイッチ等のスイッチに限定されるものではなく、他の各種構造のスイッチや可変抵抗器用の電気的機能部であってもよく、要は固定側部材と摺動型物間に設置されて摺動型物の移動に応じてその電気的出力を変化する電気的機能部であればどのような構造であっても良い。
【図面の簡単な説明】
【００５８】
【図１】第一実施形態にかかる電子部品（検出スイッチ）１−１の分解斜視図である。
【図２】摺動型物３０を図１の反対面側から見た斜視図である。
【図３】検出スイッチ１−１の内部構造を示す図である。
【図４】摺動型物３０の変形例を示す図である。
【図５】第二実施形態にかかる電子部品（検出スイッチ）１−２の分解斜視図である。
【図６】摺動型物３０を図５の反対面側から見た斜視図である。
【図７】ケース８０を図５の反対面側から見た斜視図である。
【図８】検出スイッチ１−２を示す図である。
【図９】電子部品（スライド式電子部品）１−３の分解斜視図である。
【図１０】ケース８０をその裏面側から見た斜視図である。
【図１１】スライド式電子部品１−３の動作説明図である。
【図１２】スライド式電子部品１−３の動作説明図である。
【図１３】スライド式電子部品１−３の動作説明図である。
【符号の説明】
【００５９】
１−１  検出スイッチ（電子部品）
１０  取付板（固定側部材）
２０  フレキシブル回路基板（基板、固定側部材）
２３，２５  スイッチパターン（摺接パターン、電気的機能部）
３０  摺動型物
３１  操作部
３５  挿入部
３７，３８  側壁部
４３  当接面
５０  摺動子（電気的機能部）
６０  弾発手段
６１  コイル部
６３，６５  引出部（弾発手段の一端部と他端部）
６７  穴
８０  ケース（固定側部材）
８７  係止部
１−２  検出スイッチ（電子部品）
４９  弾接面
８９  弾発片（弾発手段）
９１  弾発面
１−３  スライド式電子部品（電子部品）
１０１  挿入穴
１０３  引出部突出部
１０５  第２当接部
１３０  クリックバネ
１４０  つまみ
【図１】
2006294586.tif 000003
【図２】
2006294586.tif 000004
【図３】
2006294586.tif 000005
【図４】
2006294586.tif 000006
【図５】
2006294586.tif 000007
【図６】
2006294586.tif 000008
【図７】
2006294586.tif 000009
【図８】
2006294586.tif 000010
【図９】
2006294586.tif 000011
【図１０】
2006294586.tif 000012
【図１１】
2006294586.tif 000013
【図１２】
2006294586.tif 000014
【図１３】
2006294586.tif 000015